(57)【要約】      （修正有）【課題】入れ歯モールドに関し、入れ歯定位作用と直接一時義歯として使用することができる入れ歯両用モールド構造を提供する。【解決手段】入れ歯定位手術案内板１と噛合い定位板２とがあり、入れ歯定位手術案内板が、第一歯ぎん部１１と第一歯ぎん部の両側に設置された第一歯部１２とを有し、二つの第一歯部の間に、凹槽部１３が形成され、凹槽部に、複数の下へ貫通した入れ歯定位穴１５が形成され、また、第一歯ぎん部の前方側に、複数の突出した斜めの骨釘ガイドパイプ１６が設けられ、噛合い定位板が、凹槽部に対応した形状で、凹槽部に嵌合されて定位され、噛合い定位板が、第二歯ぎん部と第二歯ぎん部に設置された第二歯部２２とを有し、これにより、インプラントを嵌植した後、直接に、入れ歯定位手術案内板と噛合い定位板を、一時性義歯に使用できる。【選択図】図３
0003192931.tif 000002
【実用新案登録請求の範囲】
【請求項１】
第一歯ぎん部と上記第一歯ぎん部の両側に設置された第一歯部とがあり、上記第一歯ぎん部の周縁に、第一結合槽が設けられ、上記第一結合槽において、歯ぎん色複合樹脂により、第一色層が覆われて結合され、上記二つの第一歯部の間に、凹槽部が形成され、上記凹槽部に、複数の下へ貫通する入れ歯定位穴が形成される入れ歯定位手術案内板と、上記入れ歯定位手術案内板の凹槽部形状に対応して、凹槽部に嵌合して定位され、上記噛合い定位板に、第二歯ぎん部と上記第二歯ぎん部に設置された第二歯部があり、上記第二歯ぎん部の周縁に、第二結合槽が設けられ、上記第二結合槽において、歯ぎん色複合樹脂により、第二色層が覆われて結合され、また、上記噛合い定位板の第二色層が、上記入れ歯定位手術案内板の第一色層に対応する噛合い定位板と、が含有される、
ことを特徴とする入れ歯両用モールド構造。
【請求項２】
上記入れ歯定位手術案内板の凹槽部の両側に、それぞれ、嵌合ブロックが設けられ、上記噛合い定位板の第二歯部の両端に、それぞれ、上記嵌合ブロックに対応した嵌合槽が設けられることを特徴とする請求項1に記載の入れ歯両用モールド構造。
【請求項３】
上記入れ歯定位手術案内板と噛合い定位板とが、多色階調複合材料で、彫刻ミリング加工を行うことを特徴とする請求項1に記載の入れ歯両用モールド構造。
【請求項４】
上記入れ歯定位手術案内板の第一歯ぎん部の前方側に、複数の突出した斜めの骨釘ガイドパイプが設けられ、上記骨釘ガイドパイプ内に、貫通した骨釘ガイド穴が形成されることを特徴とする請求項1に記載の入れ歯両用モールド構造。
【考案の詳細な説明】
【技術分野】
【０００１】
本考案は、入れ歯モールドに関し、特に、入れ歯定位作用と直接一時義歯として使用することを両立できる入れ歯両用モールド構造に関する。
【背景技術】
【０００２】
入れ歯は、インプラント（例えば、金属チタン人工歯根）を、口腔歯槽骨に嵌植して、歯の歯根として利用され、インプラントと骨頭とが、緊密に、結合した後、インプラントに、義歯を実装することにより、患者の顔面美観や咀嚼機能が回復される。
【０００３】
入れ歯手術は、他種類の手術に比較すると、リスクが低いが、他の重要な組織を、例えば、神経や血管及び隣接歯の歯根等を不意に傷害することを防止することや、手術後の患者の美観と噛合いのため、術前企画を、慎重に評価しなければならなく、また、手術中、入れ歯モールドを利用して、医者が、精密に、インプラントを、術前企画の経路に沿って嵌植できることにより、治療効果が実現され、そして、病人の手術過程においての安全や手術後の義歯の引き受け力安定度が保障される。
【０００４】
図1と図２のように、従来の入れ歯モールド構造は、入れ歯定位手術案内板１０と噛合い定位板２０があり、上記入れ歯定位手術案内板１０は、ほばＵ形状の固定基座１０１を有し、上記固定基座１０１は、両側にそれぞれ、嵌合ブロック１０２が設けられ、上記固定基座１０１の上半部に、上記両嵌合ブロック１０２の間に、凹槽部１０３が形成され、上記凹槽部１０３において、コンピュータ断層映像に基づいて、複数の下へ貫通する入れ歯定位穴１０４を適当な位置に設置することを企画し、また、上記固定基座１０１の前方側に、複数の突出した斜めの骨釘ガイドパイプ１０５が設けられ、上記骨釘ガイドパイプ１０５内に、貫通した骨釘ガイド穴１０６が形成され、上記噛合い定位板２０は、上記凹槽部１０３に対応する形状で、その両端に、それぞれ、嵌合槽２０１が設けられ、その上に、噛合い用歯モデル２０２が設けられる。
【０００５】
入れ歯を行う時、上記噛合い定位板２０を、入れ歯定位手術案内板１０の凹槽部１０３に嵌合させ、噛合い定位板２０の両端にある嵌合槽２０１が、凹槽部１０３の両側にある嵌合ブロック１０２に嵌合されて固定され、また、入れ歯定位手術案内板１０を、噛合い定位板２０とともに、患者口腔の歯ぐきにセットして、噛合うように定位させ、また、骨釘ガイド穴１０６で、骨釘を患者の上下顎骨にロックするように案内し、上記入れ歯定位手術案内板１０が固定され、そして、噛合い定位板２０を取り外し、入れ歯定位穴１０４を用いて、患者の歯ぐきに対して、歯槽骨までの穴を開け、その後、インプラントを上記穴に嵌植固定させ、骨釘を抜き出し、入れ歯定位手術案内板１０を除去させ、他に用意した一時性義歯を実装し、所定時間の癒合期（癒合時間は、一般として、下顎が、３ヶ月で、上顎が、４−６ヶ月である）が経過するのを待ち、インプラントと歯槽骨とが整合されてから、一時性義歯を外して、インプラントに、義歯を実装して、入れ歯を終了させる。
【０００６】
ただ、上記のような従来のの入れ歯モールド構造は、インプラントを穴内に嵌植固定した後、骨釘を抜き出し、入れ歯定位手術案内板１０を外して、他に用意された一時性義歯を実装するため、過程が複雑であるだけでなく、時間が掛かり、費用も高くなる。
【０００７】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００８】
本考案の主な目的は、その入れ歯定位手術案内板と噛合い定位板に、歯ぎん部と歯部が設置され、インプラント嵌植した後、直接に、上記入れ歯定位手術案内板と噛合い定位板を、一時性義歯に適用でき、インプラントを嵌植することが簡素化され、医療処理時間が短縮されて、費用を低減できる。
【課題を解決するための手段】
【０００９】
請求項１の考案は、第一歯ぎん部と上記第一歯ぎん部の両側に設置された第一歯部とがあり、上記第一歯ぎん部の周縁に、第一結合槽が設けられ、上記第一結合槽において、歯ぎん色複合樹脂により、第一色層が覆われて結合され、上記二つの第一歯部の間に、凹槽部が形成され、上記凹槽部に、複数の下へ貫通する入れ歯定位穴が形成される入れ歯定位手術案内板と、上記入れ歯定位手術案内板の凹槽部形状に対応して、凹槽部に嵌合して定位され、上記噛合い定位板に、第二歯ぎん部と上記第二歯ぎん部に設置された第二歯部があり、上記第二歯ぎん部の周縁に、第二結合槽が設けられ、上記第二結合槽において、歯ぎん色複合樹脂により、第二色層が覆われて結合され、また、上記噛合い定位板の第二色層が、上記入れ歯定位手術案内板の第一色層に対応する噛合い定位板と、が含有されることを特徴とする入れ歯両用モールド構造である。
【００１０】
請求項２の考案は、上記入れ歯定位手術案内板の凹槽部の両側に、それぞれ、嵌合ブロックが設けられ、上記噛合い定位板の第二歯部の両端に、それぞれ、上記嵌合ブロックに対応した嵌合槽が設けられることを特徴とする請求項1に記載の入れ歯両用モールド構造である。
【００１１】
請求項３の考案は、上記入れ歯定位手術案内板と噛合い定位板とが、多色階調複合材料で、彫刻ミリング加工を行うことを特徴とする請求項1に記載の入れ歯両用モールド構造である。
【００１２】
請求項４の考案は、上記入れ歯定位手術案内板の第一歯ぎん部の前方側に、複数の突出した斜めの骨釘ガイドパイプが設けられ、上記骨釘ガイドパイプ内に、貫通した骨釘ガイド穴が形成されることを特徴とする請求項1に記載の入れ歯両用モールド構造である。
【００１３】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１４】
図３と図４のように、本考案は、入れ歯両用モールド構造であり、入れ歯定位手術案内板１と噛合い定位板２とがあり、上記入れ歯定位手術案内板１が、多色階調複合材料で、彫刻ミリング加工によってからなり、上記入れ歯定位手術案内板が、ほぼＵ形状の第一歯ぎん部１１と上記第一歯ぎん部１１の両側に設置された第一歯部１２とを有し、上記第一歯ぎん部１１の周縁に、第一結合槽１１１が設けられ、上記第一結合槽１１１において、歯ぎん色複合樹脂により、第一色層１１２が覆われて結合され、上記二つの第一歯部１２の間に、凹槽部１３が形成され、上記凹槽部１３の両側に、それぞれ、嵌合ブロック１４が設けられ、上記凹槽部１３において、コンピュータ断層映像に基づいて、複数の下へ貫通する入れ歯定位穴１５を適当な位置に設置することを企画し、また、上記第一歯ぎん部１１の前方側に、複数の突出した斜めの骨釘ガイドパイプ１６が設けられ、上記骨釘ガイドパイプ１６内に、貫通した骨釘ガイド穴１７が形成され、上記噛合い定位板２は、上記凹槽部形状に対応する形状で、多色階調複合材料で、彫刻ミリング加工され、上記噛合い定位板２が、第二歯ぎん部２１と上記第二歯ぎん部２１に設置された第二歯部２２とを有し、上記第二歯ぎん部２１の周縁に、第二結合槽２１１が設けられ、上記第二結合槽２１１に、歯ぎん色複合樹脂で、第二色層２１２が覆われて結合され、上記噛合い定位板２の第二色層２１２と上記入れ歯定位手術案内板１の第一色層１１２とが、互いに対応するように、上記第二歯部２２の両端に、それぞれ、嵌合槽２３が設けられる。
【００１５】
本考案によれば、入れ歯を行う時、上記噛合い定位板２を、入れ歯定位手術案内板１の凹槽部１３に嵌合させ、噛合い定位板２の両端にある嵌合槽２３が、凹槽部１３の両側にある嵌合ブロック１４に嵌合されて固定され、また、入れ歯定位手術案内板１を、噛合い定位板２とともに、患者口腔の歯ぐきにセットして、噛合うように定位させ、また、骨釘ガイド穴１７で、骨釘Ａを患者の上下顎骨にロックするように案内し、上記入れ歯定位手術案内板１が固定され、そして、噛合い定位板２を取り外し、入れ歯定位穴１５を用いて、患者の歯ぐきに対して、歯槽骨までの穴を開け、その後、インプラントＢを上記穴に嵌植固定させ、骨釘Ａを抜き出し、入れ歯定位手術案内板１の骨釘ガイドパイプ１６を研磨して除去させ、また、平らに研磨して、歯ぎん色複合樹脂で覆い、また、噛合い定位板２を入れ歯定位手術案内板１の凹槽部１３に嵌合して粘着させ、噛合い定位板２の両端にある嵌合槽２３と凹槽部１３の両側にある嵌合ブロック１４とが、嵌合固定され、それから、入れ歯定位手術案内板を、患者の歯ぐきに黏著して、直接に、一時義歯として使用し、所定時間の癒合期（癒合時間は、一般として、下顎が３ヶ月で、上顎が、４−６ヶ月である）が経過するのを待ち、インプラントＢと歯槽骨とが整合されてから、入れ歯定位手術案内板１と噛合い定位板を、取り外し、インプラントＢに、義歯を実装して、入れ歯を終了させる。
【００１６】
上記具体的な実施例の構造は、次の利点が得られる。
本考案に係る入れ歯両用モールド構造によれば、その入れ歯定位手術案内板１と噛合い定位板２に、歯ぎん部１１、２１と歯部１２、２２とが設置され、また、上記歯ぎん部１１、２１に、歯ぎん色の色層１１２、２１２が覆われて結合されるため、インプラントＢを嵌植した後、直接に、上記入れ歯定位手術案内板１と噛合い定位板２とを、一時性義歯として使用でき、そのため、インプラントＢを嵌植することが簡素かされ、医療処理時間が短縮され、また、他に一時性義歯を用意する必要なく、費用を低減できる。
【００１７】
そのため、本考案は、より進歩的かつより実用的で、法に従って実用新案登録請求を出願する。
【００１８】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００１９】
【図１】従来の入れ歯モールドの立体分解図
【図２】従来の入れ歯モールドの立体組立て図
【図３】本考案に係る入れ歯両用モールドの立体分解図
【図４】本考案に係る入れ歯両用モールドの立体組立て図
【図５】本考案に係る入れ歯の手順一図
【図６】本考案に係る入れ歯の手順二図
【図７】本考案に係る入れ歯の手順三図
【図８】本考案に係る入れ歯の手順四図
【図９】本考案に係る入れ歯の手順五図
【図１０】本考案に係る入れ歯の手順六図
【符号の説明】
【００２０】
従来
１０  入れ歯定位手術案内板
１０１  固定基座
１０２  嵌合ブロック
１０３  凹槽部
１０４  入れ歯定位穴
１０５  骨釘ガイドパイプ
１０６  骨釘ガイド穴
２０  噛合い定位板
２０１  嵌合槽
２０２  歯モデル
本考案
１  入れ歯定位手術案内板
１１  第一歯ぎん部
１１１  第一結合槽
１１２  第一色層
１２  歯部
１３  凹槽部
１４  嵌合ブロック
１５  入れ歯定位穴
１６  骨釘ガイドパイプ
１７  骨釘ガイド穴
２  噛合い定位板
２１  第二歯ぎん部
２１１  第二結合槽
２１２  第二色層
２２  第二歯部
２３  嵌合槽
Ａ  骨釘
Ｂ  インプラント
【図１】
0003192931.tif 000003
【図２】
0003192931.tif 000004
【図３】
0003192931.tif 000005
【図４】
0003192931.tif 000006
【図５】
0003192931.tif 000007
【図６】
0003192931.tif 000008
【図７】
0003192931.tif 000009
【図８】
0003192931.tif 000010
【図９】
0003192931.tif 000011
【図１０】
0003192931.tif 000012
【手続補正書】
【提出日】平成26年7月8日(2014.7.8)
【手続補正１】
【補正対象書類名】実用新案登録請求の範囲
【補正対象項目名】請求項１
【補正方法】変更
【補正の内容】
【請求項１】
第一歯ぎん部と上記第一歯ぎん部の両側に設置された第一歯部とがあり、上記第一歯ぎん部の周縁に、第一結合槽が設けられ、上記第一結合槽において、歯ぎん色複合樹脂により、第一色層が覆われて結合され、上記二つの第一歯部の間に、凹槽部が形成され、上記凹槽部に、複数の下へ貫通する入れ歯定位穴が形成される入れ歯定位手術案内板と、上記入れ歯定位手術案内板の凹槽部形状に対応して、凹槽部に嵌合して定位され、噛合い定位板に、第二歯ぎん部と上記第二歯ぎん部に設置された第二歯部があり、上記第二歯ぎん部の周縁に、第二結合槽が設けられ、上記第二結合槽において、歯ぎん色複合樹脂により、第二色層が覆われて結合され、また、上記噛合い定位板の第二色層が、上記入れ歯定位手術案内板の第一色層に対応する噛合い定位板と、が含有される、
ことを特徴とする入れ歯両用モールド構造。